(57)【要約】【課題】  プリンタなどの物体が引き出された時にも適切なバランスを取ることができる画像印刷装置を提供する。【解決手段】  ２台のプリンタＰ１，Ｐ２はそれぞれ保持部材３０１，３０３に載置されることで保持されている。保持部材３０１のフレームの中にある保持部材３０３は、保持部材３０１との相対的な位置として、図で示される位置よりも右側には移動できないように構成される。これにより、プリンタＰ１のみが収納部２０１から引き出され、プリンタＰ１の重量によりバランスが崩れることが防止される。【選択図】        図７
2006198953.tif 000002
【特許請求の範囲】
【請求項１】
少なくとも２つのプリンタである第１のプリンタと第２のプリンタとを上下方向に並べて収納する画像印刷装置であって、
前記画像印刷装置の本体と、
前記本体から引き出し可能に構成され、前記第１のプリンタを保持する第１の保持部材と、
前記本体から引き出し可能に構成され、前記第２のプリンタを前記第１のプリンタを保持する位置よりも下の位置で保持する第２の保持部材とを備え、
前記第１のプリンタは、前記第１の保持部材の移動とともに移動し、
前記第２のプリンタは、前記第２の保持部材の移動とともに移動し、
前記第２の保持部材が前記本体から引き出されていない時には、前記第１の保持部材を前記本体から引き出すことができないようにする機構を備えたことを特徴とする、画像印刷装置。
【請求項２】
前記第１の保持部材は、フレーム形状を示し、
前記第１のプリンタは、前記フレーム形状を示す第１の保持部材に載置されることで保持され、
前記第２の保持部材は、前記フレーム形状を示す第１の保持部材内に収容され、前記第１の保持部材から引き出し可能に構成され、
前記第１の保持部材が移動するときには、前記第２の保持部材もそれに併せて移動することで、前記第１の保持部材が前記本体から引き出される時には、前記第２の保持部材も併せて引き出されることを特徴とした、請求項１に記載の画像印刷装置。
【請求項３】
前記プリンタのケーブルを前記本体の内部で吊下げる吊下げ部材をさらに備えた、請求項１または２に記載の画像印刷装置。
【請求項４】
前記吊下げ部材は、前記第１または第２の保持部材が引き出される方向に移動することができるように構成される、請求項３に記載の画像印刷装置。
【請求項５】
前記第１および第２の保持部材の少なくとも１つを固定するロック機構を備えた、請求項１〜４のいずれかに記載の画像印刷装置。
【請求項６】
少なくとも１つのプリンタを収納する画像印刷装置であって、
前記画像印刷装置の本体と、
前記本体から引き出し可能に構成され、前記プリンタを保持する保持部材とを備え、
前記プリンタは、前記保持部材の移動とともに移動し、
前記プリンタのケーブルを前記本体の内部で吊下げる吊下げ部材を備えた、画像印刷装置。
【請求項７】
前記吊下げ部材は、前記保持部材が引き出される方向に移動することができるように構成される、請求項６に記載の画像印刷装置。
【請求項８】
少なくとも２つの物体である第１の物体と第２の物体とを上下方向に並べて収納することが可能な収納装置であって、
前記収納装置の本体と、
前記本体から引き出し可能に構成され、前記第１の物体を保持する第１の保持部材と、
前記本体から引き出し可能に構成され、前記第２の物体を前記第１の物体を保持する位置よりも下の位置で保持する第２の保持部材とを備え、
前記第１の物体は、前記第１の保持部材の移動とともに移動し、
前記第２の物体は、前記第２の保持部材の移動とともに移動し、
前記第２の保持部材が前記本体から引き出されていない時には、前記第１の保持部材を前記本体から引き出すことができないようにする機構を備えたことを特徴とする、収納装置。
【請求項９】
ケーブルに接続される少なくとも１つの電気製品を収納する収納装置であって、
前記収納装置の本体と、
前記本体から引き出し可能に構成され、前記電気製品を保持する保持部材とを備え、
前記電気製品は、前記保持部材の移動とともに移動し、
前記電気製品のケーブルを前記本体の内部で吊下げる吊下げ部材を備えた、画像印刷装置。
【発明の詳細な説明】
【技術分野】
【０００１】
この発明は画像印刷装置、および収納装置に関し、特にプリンタのような比較的重い物体を複数台収容することができる画像印刷装置、および収納装置に関する。
【背景技術】
【０００２】
従来より、１つの筐体に複数のプリンタを収納することにより、１台のプリンタに故障や用紙切れなどのトラブルが発生したときにも他のプリンタを使用することで装置を有効に活用することができる印刷装置が知られている。
【０００３】
このような印刷装置の分野において、以下の特許文献１は、写真自動販売機に取付けられ、プリントを行なうプリンタユニットであって、複数のプリンタを設置するための部材を備え、写真自動販売機から着脱可能に構成されるものを開示している。
【０００４】
また、機器の収納の分野において特許文献２は、キャビネット内にトレイとともに紙幣払出機をスライドレールにより引き出し可能にする技術を開示している。
【０００５】
特許文献３は、プリンタをスライド支持手段に支持させ、プリンタを引き出し可能にする技術を開示している。
【特許文献１】特開２００３−２０３２７１号公報
【特許文献２】特開平１０−２０８１２１号公報
【特許文献３】特開２００４−２７２０６３号公報
【発明の開示】
【発明が解決しようとする課題】
【０００６】
例えば、１つの筐体に複数のプリンタを縦方向に収納する印刷装置の構成を想定する。このように縦方向にプリンタを収納する場合、プリンタのメンテナンス（消耗品の補充、トラブルに対する処置など）のために、プリンタをスライドレールなどによって横方向に引き出せるよう構成することが好ましい。
【０００７】
しかしながらプリンタを横方向に引き出すときに、プリンタの重量によって、印刷装置の重心位置がずれてしまい、バランスが不安定になるおそれがあった。
【０００８】
この発明は上記問題点を解決するためになされたものであり、プリンタなどの物体が引き出された時にも適切なバランスを取ることができる画像印刷装置および収納装置を提供することを目的としている。
【課題を解決するための手段】
【０００９】
上記目的を達成するためこの発明のある局面に従うと、画像印刷装置は、少なくとも２つのプリンタである第１のプリンタと第２のプリンタとを上下方向に並べて収納する画像印刷装置であって、画像印刷装置の本体と、本体から引き出し可能に構成され、第１のプリンタを保持する第１の保持部材と、本体から引き出し可能に構成され、第２のプリンタを第１のプリンタを保持する位置よりも下の位置で保持する第２の保持部材とを備え、第１のプリンタは、第１の保持部材の移動とともに移動し、第２のプリンタは、第２の保持部材の移動とともに移動し、第２の保持部材が本体から引き出されていない時には、第１の保持部材を本体から引き出すことができないようにする機構を備えたことを特徴とする。
【００１０】
好ましくは第１の保持部材は、フレーム形状を示し、第１のプリンタは、フレーム形状を示す第１の保持部材に載置されることで保持され、第２の保持部材は、フレーム形状を示す第１の保持部材内に収容され、第１の保持部材から引き出し可能に構成され、第１の保持部材が移動するときには、第２の保持部材もそれに併せて移動することで、第１の保持部材が本体から引き出される時には、第２の保持部材も併せて引き出されることを特徴とする。
【００１１】
好ましくは画像印刷装置は、プリンタのケーブルを本体の内部で吊下げる吊下げ部材をさらに備える。
【００１２】
好ましくは吊下げ部材は、第１または第２の保持部材が引き出される方向に移動することができるように構成される。
【００１３】
好ましくは画像印刷装置は、第１および第２の保持部材の少なくとも１つを固定するロック機構を備える。
【００１４】
この発明の他の局面に従うと画像印刷装置は、少なくとも１つのプリンタを収納する画像印刷装置であって、画像印刷装置の本体と、本体から引き出し可能に構成され、プリンタを保持する保持部材とを備え、プリンタは、保持部材の移動とともに移動し、画像印刷装置は、プリンタのケーブルを本体の内部で吊下げる吊下げ部材を備える。
【００１５】
好ましくは吊下げ部材は、保持部材が引き出される方向に移動することができるように構成される。
【００１６】
この発明の他の局面に従うと収納装置は、少なくとも２つの物体である第１の物体と第２の物体とを上下方向に並べて収納することが可能な収納装置であって、収納装置の本体と、本体から引き出し可能に構成され、第１の物体を保持する第１の保持部材と、本体から引き出し可能に構成され、第２の物体を第１の物体を保持する位置よりも下の位置で保持する第２の保持部材とを備え、第１の物体は、第１の保持部材の移動とともに移動し、第２の物体は、第２の保持部材の移動とともに移動し、第２の保持部材が本体から引き出されていない時には、第１の保持部材を本体から引き出すことができないようにする機構を備えたことを特徴とする。
【００１７】
この発明の他の局面に従うと収納装置は、ケーブルに接続される少なくとも１つの電気製品を収納する収納装置であって、収納装置の本体と、本体から引き出し可能に構成され、電気製品を保持する保持部材とを備え、電気製品は、保持部材の移動とともに移動し、収納装置は、電気製品のケーブルを本体の内部で吊下げる吊下げ部材を備える。
【発明の効果】
【００１８】
これらの発明に従うと、第２のプリンタなどの物体を保持する第２の保持部材が本体から引き出されていない時には、第１のプリンタなどの物体を保持する第１の保持部材を本体から引き出すことができないようにする機構を備えたことで、プリンタなどの物体が引き出された時にも適切なバランスを取ることができる画像印刷装置および収納装置を提供することが可能である。
【００１９】
また、吊下げ部材を用いることによりケーブルを吊下げる発明によると、ケーブルの収容が容易になるという効果がある。
【発明を実施するための最良の形態】
【００２０】
図１は、本発明の実施の形態の１つにおける画像印刷装置の斜視図である。
【００２１】
図を参照して、画像印刷装置は、ユーザにより入力されたプリント対象の写真などを表示し、ユーザからの入力を受付けるタッチディスプレイ１０３と、操作方法などを音声で出力するスピーカ１０５と、ユーザのメモリカードなどの記憶媒体やコネクタを通じて画像データを入力するためのインタフェース１０７と、上記タッチディスプレイ１０３や図示しないＰＣ（パーソナルコンピュータ）などを収納する収納部１０１と、複数（ここでは２台）のプリンタを縦方向に収納する収納部（本体）２０１と、装置の下部に取付けられ、画像印刷装置を移動させるためのキャスタ２０５と、同じく装置の下部に取付けられ、画像印刷装置を床に固定するためのストッパ２０７とを備えている。
【００２２】
また、画像印刷装置の側面には、収納部２０１に格納された２台のプリンタのそれぞれから出力される印刷物を排出し保持する、上下二段に設けられた上部プリント排出口２０３ａと、下部プリント排出口２０３ｂとが設けられている。収納部２０１の上面には、テーブル１０９が設けられている。
【００２３】
上部プリント排出口２０３ａと下部プリント排出口２０３ｂとが固定されている面は、軸Ａを中心としてＢ方向に回転することが可能に構成されている。これに伴い上部プリント排出口２０３ａと下部プリント排出口２０３ｂも軸Ａを中心としてＢ方向に回転する。このような構成により、画像印刷装置の側面を扉のように開けることができ、その内部に設置されたプリンタのメンテナンスを行なうことができる。
【００２４】
画像印刷装置は、宴会会場、パーティー会場、結婚式場等において移動可能に、または固定的に設置され、簡易な操作でデジタルカメラなどからの撮影画像を取得する。画像印刷装置は、この取得した撮影画像に装飾性の高い装飾画像で編集を施し、編集を施した合成画像を印刷することができるプリント自動販売機として機能する。
【００２５】
インタフェース１０７は、デジタルカメラや、カメラ付携帯電話等から出力された撮影画像データを取得するため、利用者の所持するデジタルカメラなどに対応できるように、各種の入力部を備えている。
【００２６】
インタフェース１０７を介して取得された撮影画像データは、タッチディスプレイ１０３に表示される。利用者は表示された撮影画像を見ながら、撮影画像上にフレーム画像やスタンプ画像などの装飾画像を入力する編集操作を指先で行なう。編集操作を終えた合成画像は、収納部２０１の内部に収容されるプリンタにより、シールプリントとして印刷出力され、上部プリント排出口２０３ａまたは下部プリント排出口２０３ｂから排出される。
【００２７】
図２は、図１の画像印刷装置をＣ方向から見た図である。
【００２８】
図を参照して、収納部２０１内に上下方向にプリンタＰ１，Ｐ２が収納されている。プリンタＰ１は、フレーム形状を有する保持部材３０１に載置されることで保持される。プリンタＰ２は、保持部材３０１の内部に収容された保持部材３０３に載置されることでフレーム内に保持される。
【００２９】
保持部材３０１，３０３は、図２の状態から左に移動するで収納部２０１から引き出されることが可能である。それぞれの保持部材３０１，３０３の移動に併せて、それらに載置されたプリンタＰ１，Ｐ２も移動することとなる。
【００３０】
また、保持部材３０１が移動するときには、保持部材３０３もそれに併せて移動するよう構成されている。これにより、保持部材３０１が収納部２０１から引き出される時には、保持部材３０３も併せて引き出されるので、プリンタＰ１のみが収納部２０１から外部へ突出し、バランスを崩すことが防止される。
【００３１】
また、図２の状態で保持部材３０１，３０３の移動をロックするため、ロック機構Ｌａ１，Ｌａ２と、それらに係合する環状部材Ｌｂ１，Ｌｂ２が設けられている。
【００３２】
ここに、ロック機構Ｌａ１は、保持部材３０３が保持部材３０１のフレームから出ないようにするためのものである。ロック機構Ｌａ１は、保持部材３０３に固定されている。それに対応する環状部材Ｌｂ１は、保持部材３０１に固定されている。
【００３３】
また、ロック機構Ｌａ２は、保持部材３０１が収納部２０１から出ないようにするためのものである。ロック機構Ｌａ２は、保持部材３０１に固定されている。それに対応する環状部材Ｌｂ２は、収納部２０１に固定されている。
【００３４】
また、保持部材３０１，３０３の移動を容易にし、かつプリンタが引き出された時の重量を支持するため、キャスタ２０５は、保持部材３０１，３０３の下部にも設けられている。
【００３５】
図２に示される構成により、２台のプリンタＰ１，Ｐ２をコンパクトな空間に収容することができる。
【００３６】
図３は、図１の画像印刷装置をＤ方向から見た図であり、扉を開けた状態を示す図である。
【００３７】
ここでは、扉を開けた中に２台のプリンタＰ１，Ｐ２が縦方向に並んでいることがわかる。なお、図面下に３個並ぶキャスタのうち、真中のものは保持部材３０３に取付けられたキャスタであり、左右のものは収納部２０１に固定されたキャスタである。
【００３８】
ここでは扉に併せて上部プリント排出口２０３ａと下部プリント排出口２０３ｂも動くこととしたが、上部プリント排出口２０３ａと下部プリント排出口２０３ｂとをプリンタＰ１，Ｐ２に固定し、扉が開いた状態でも印刷物を保持することができるようにしてもよい。
【００３９】
図４は、ロック機構Ｌａ１，Ｌａ２の１つの構成を示す図である。
【００４０】
図を参照して、ロック機構は爪４０７を備えた回動部材４０２を含んでいる。回動部材４０２は、回動部材４０２に固定されたボタン４０１がＥ方向に押されることで、軸心４０５を中心としてＦ方向（時計回り）に回転する。これに伴い、爪４０７もＧ方向に回転し、ロックを解除することができる。
【００４１】
ボタン４０１に対する押圧力が弱まると、図示しないばねにより、回動部材４０２は、軸心４０５を中心としてＦ方向とは逆方向（反時計回り）に回転する。これに伴い、爪４０７もＧ方向とは逆方向に回転し、ロックを行なうことができる。
【００４２】
図５は、ロック機構Ｌａ１，Ｌａ２と係合する環状部材Ｌｂ１，Ｌｂ２の１つの側面図である。また、図６は環状部材の１つの平面図である。
【００４３】
図に示されるように環状部材は、ロック機構の爪４０７と係合する環状体５０１と、収納部２０１または保持部材３０１に固定される固着部５０３とを備えている。
【００４４】
なお、保持部材３０１，３０３を所定の位置に収納した時に、ロック機構Ｌａ１と環状部材Ｌｂ１、およびロック機構Ｌａ２と環状部材Ｌｂ２が自然にロックされる位置に,
ロック機構Ｌａ１，Ｌａ２と環状部材Ｌｂ１，Ｌｂ２とを配置しておくことが好ましい。
【００４５】
図７は、プリンタＰ１，Ｐ２の両者を引き出した状態を示す図である。
【００４６】
この場合、ロック機構Ｌａ２と環状部材Ｌｂ２の係合を解除し、保持部材３０１を引き出すことで、プリンタＰ１が引き出される。また、保持部材３０１のフレームの中にある保持部材３０３は、保持部材３０１との相対的な位置として、図２および図７で示される位置よりも右側には移動できないようになっている。これは、保持部材３０１に保持部材３０３の移動を制限するストッパなどの機構が備えられていることに基づくものである。
【００４７】
ストッパは保持部材３０１および３０３の両者に取付けられ、ストッパ同士が当たることで、１方向の移動に制限がかけられる。他方向に力がかかるとストッパ同士の当たり部分における接触が離れ、その間に空間が形成される。
【００４８】
なお、保持部材３０１および保持部材３０３がほぼ同じ位置にある場合（両者が収納された状態、または引き出された距離が同じである場合）に、それ以上、保持部材３０１が保持部材３０３に対して引き出される方向に移動できないようにする機構として、ストッパの他にも、ロック機構やカギ状部材などを用いて保持部材３０１の移動を制限する機構が考えられる。
【００４９】
このようなストッパ、ロック機構、カギ状部材のような機構によって、保持部材３０１が引き出されるときには保持部材３０３もそれに伴って移動する。そして、保持部材３０３のみが引き出されるときにはそのような機構による制限は解除される。これにより、保持部材３０３が収納部２０１から引き出されないときには、保持部材３０１を収納部２０１から引き出すことができないようにすることが可能である。
【００５０】
他にも、保持部材３０１の背面（図２の右側）にパネル、格子状の棒などを設けることで、保持部材３０１の位置以上には、収納方向（図２の右方向）に保持部材３０３が移動しないようにすることが可能である。このようなパネルや棒により、保持部材３０１が引き出し方向（図２の左方向）に移動するときには保持部材３０３も押し出される。
【００５１】
なお、このような機構を採用するに当たっては、保持部材３０３が保持部材３０１に内包または載置されていることが好ましい。
【００５２】
図８は、プリンタＰ２のみを収納部２０１から引き出した状態を示す図である。
【００５３】
この場合、ロック機構Ｌａ１と環状部材Ｌｂ１の係合を解除し、保持部材３０３を引き出すことで、プリンタＰ２が引き出される。プリンタＰ１と異なり、プリンタＰ２は装置下部に位置するので、プリンタＰ２のみを引き出したとしても、特に装置のバランスが崩れることはない。
【００５４】
図９は、図７の状態からさらにプリンタＰ２を引き出した状態を示す図である。
【００５５】
この場合、ロック機構Ｌａ１と環状部材Ｌｂ１の係合を解除し、保持部材３０３を保持部材３０１のフレームの中から引き出すことで、プリンタＰ２が引き出される。
【００５６】
なお、収納部２０１および保持部材３０１にはレール部材３０９ａ〜３０９ｃが取付けられており、これにより保持部材３０１，３０３の直線的な移動が担保されるとともに、プリンタＰ１，Ｐ２の重量が支持される。
【００５７】
図１０は、画像印刷装置のハードウェア構成を示すブロック図である。
【００５８】
図を参照して、収納部１０１には、タッチディスプレイ１０３と、スピーカ１０５と、インタフェース１０７と、ＰＣなどから構成される制御部１５１と、プリンタＰ１，Ｐ２との間で通信を行なうインタフェース部１５３とが備えられている。
【００５９】
一方、収納部２０１には、プリンタＰ１，Ｐ２が収納される。プリンタＰ１，Ｐ２のそれぞれは、制御部１５１との間で通信を行なうためのインタフェース部５０３ａ，５０３ｂと、プリンタの制御部５０１ａ，５０１ｂと、ユーザに対する表示を行なったり入力を受付けるユーザインタフェース５０５ａ，５０５ｂと、プリントエンジンなどを備えるプリント部５０７ａ，５０７ｂとを備えている。
【００６０】
インタフェース部１５３とインタフェース部５０３ａ，５０３ｂとの間は、ケーブルや無線により電気的に接続される。
【００６１】
［変形例］
図１１は、画像印刷装置の変形例を示す図である。
【００６２】
本変形例においては、インタフェース部１５３とインタフェース部５０３ａ，５０３ｂとの間をケーブルにより電気的に接続する。この場合、収納部２０１の内部でケーブルの取りまわしが煩雑となり、ケーブルが絡まることにより、プリンタの移動が阻害される場合がある。
【００６３】
そこで本変形例においては、図１１に示されるように、収納部２０１の上部にレール部材Ｒを固定し、レール部材Ｒ上を移動する移動体Ｍを設け、移動体ＭによりケーブルＣの一部を吊下げて保持させるようにしている。これにより、移動体はプリンタが引き出される方向（図１１では左右方向）に移動することができる。
【００６４】
なお、ケーブルＣと移動体Ｍは固定してもよいが、移動体に穴などを設け、その中をケーブルＣが自在に動く構成としてもよい。
【００６５】
図１２は、図１１の状態からプリンタＰ１，Ｐ２を引き出した状態を示す図である。
【００６６】
図に示されるように、ケーブルＣは移動体Ｍにより吊下げられ、また移動体Ｍがプリンタの引き出し方向に移動することによって、ケーブルＣが絡まることなくプリンタを移動させることが可能となる。また、ケーブルが抜けにくくなり、ケーブルを傷めることが防止される。
【００６７】
図１２の状態からプリンタを収納することで、図１１の状態にすることができる。
【００６８】
プリンタＰ２に対しても、プリンタＰ１と同様にそのケーブルを移動体により吊下げるようにすることが可能である。
【００６９】
なお、図１１においては、ケーブルを１つの移動体Ｍにより吊下げることとしたが、２つ以上の移動体Ｍをレール部材Ｒに設け、２ヶ所以上でケーブルを吊下げることとしてもよい。
【００７０】
また、移動体Ｍを用いた吊下げ機構は、プリンタが１台のときにおいても有効である。さらに、プリンタに限らず信号や電流を流すケーブルに接続される電気製品に対しても，本発明を実施することができる。
【００７１】
また、図７のレール部材３０９ａ，３０９ｂとケーブルとが絡まることを防ぐため、レール部材Ｒは、レール部材３０９ａ，３０９ｂから離れた位置に設置することが望ましい。例えば、レール部材３０９ａ，３０９ｂが図３で見たプリンタＰ１，Ｐ２の左右に設置される場合には、レール部材Ｒは、その中央天井付近に設置されることが望ましい。
【００７２】
本実施の形態においては、収納部に収納される物の具体例としてプリンタを挙げたが、ある程度の重量があり、移動させたときにバランスが問題となる物体であれば本発明を適用することができる。
【００７３】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】本発明の実施の形態の１つにおける画像印刷装置の斜視図である。
【図２】図１の画像印刷装置をＣ方向から見た図である。
【図３】図１の画像印刷装置をＤ方向から見た図であり、扉を開けた状態を示す図である。
【図４】ロック機構の構成を示す図である。
【図５】ロック機構と係合する環状部材の側面図である。
【図６】ロック機構と係合する環状部材の平面図である。
【図７】プリンタＰ１，Ｐ２を引き出した状態を示す図である。
【図８】プリンタＰ２のみを引き出した状態を示す図である。
【図９】図７の状態からさらにプリンタＰ２を引き出した状態を示す図である。
【図１０】画像印刷装置のハードウェア構成を示すブロック図である。
【図１１】画像印刷装置の変形例を示す図である。
【図１２】図１１の状態からプリンタＰ１，Ｐ２を引き出した状態を示す図である。
【符号の説明】
【００７５】
２０１  収納部、２０５  キャスタ、３０１，３０３  保持部材、３０９ａ〜３０９ｃ  レール部材、Ｃ  ケーブル、Ｌａ１，Ｌａ２  ロック機構、Ｌｂ１，Ｌｂ２  環状部材、Ｍ  移動体、Ｒ  レール部材、Ｐ１，Ｐ２  プリンタ。
【図１】
2006198953.tif 000003
【図２】
2006198953.tif 000004
【図３】
2006198953.tif 000005
【図４】
2006198953.tif 000006
【図５】
2006198953.tif 000007
【図６】
2006198953.tif 000008
【図７】
2006198953.tif 000009
【図８】
2006198953.tif 000010
【図９】
2006198953.tif 000011
【図１０】
2006198953.tif 000012
【図１１】
2006198953.tif 000013
【図１２】
2006198953.tif 000014